(57)【要約】      （修正有）【課題】箱詰め作業を円滑に行うことが可能な管球製品を２個収容可能な包装箱および物品包装体を提供する。【解決手段】一端に開口１１を有した本体部１０と、開口１１を閉塞するように折り曲げられた蓋部３と、開口１１の一方の辺縁部に隣接する両側方の辺縁部から一体的にそれぞれ突出し、本体部１０の開口１１を閉塞するように折り曲げることで開口１１よりもやや内側の中間部で互いに近接する基端部２ａ，２ａおよびこの基端部２ａ，２ａ同士が近接する部分でさらに本体部１０の収容部１２側に向かって折り曲げられて互いに平行な状態で収容部１２の下方側に向かって延在する先端片部２ｂ，２ｂを有する一対のフラップ２，２と、先端片部２ｂ，２ｂを折り曲げたときに先端片部２ｂ，２ｂから延在するように基端部２ａ，２ａから開口１１方向に向かって突出し、蓋部３に先端が当接または近接する一対の突起２ｃ，２ｃとを具備している。【選択図】図１
2005289408.tif 000002
【特許請求の範囲】
【請求項１】
少なくとも一端に開口を有し、内部に収容部が形成されるように包装材を矩形状に折り曲げ、かつ接合して形成された本体部と；
本体部の開口の一方の辺縁部から一体的に突出し、開口を閉塞するように折り曲げられた蓋部と；
本体部の開口の一方の辺縁部に隣接する両側方の辺縁部から一体的にそれぞれ突出し、本体部の開口を閉塞するように折り曲げることで本体部の開口よりもやや内側の中間部で互いに近接する基端部およびこの基端部同士が近接する部分でさらに本体部の収容部側に向かって折り曲げられて互いに平行な状態で収容部の下方側に向かって延在する先端片部を有する一対のフラップと；
一対のフラップの基端部にそれぞれ形成された切込みによって先端片部を折り曲げたときに先端片部から延在するように基端部から本体部の開口方向に向かってそれぞれ切起こされ、本体部の開口を閉塞したときの蓋部に先端が当接または近接する一対の突起と；
を具備していることを特徴とする包装箱。
【請求項２】
本体部の開口の他方の辺縁部から一体的に突出し、本体部の内面側に当接するように折り込まれるとともに、収容部の中間位置に配設される仕切片が切り起こされる仕切体を有し、この仕切体の仕切片が一対のフラップの先端片部によって挟持されることを特徴とする請求項１記載の包装箱。
【請求項３】
請求項１または２記載の包装箱と；
包装箱内に収容された物品と；
を具備していることを特徴とする物品包装体。
【発明の詳細な説明】
【技術分野】
【０００１】
本発明は、包装箱およびこれを用いた物品包装体に関する。
【背景技術】
【０００２】
ダンボールまたは厚紙を切り抜いて形成した包装材を内部に収容部が形成されるように矩形状に折り曲げ、かつ、接合して形成した包装箱は、古くから各種物品を包装する際に多用されている。
【０００３】
白熱電球等の片口金付きの管球製品を収容する包装箱は、収容する管球の形状に合わせた立方体形状に形成される。白熱電球等の管球製品は２個入りのセット商品として販売されることがあり、この場合には管球製品が２個収容可能な包装箱に収容されて輸送され、展示、販売される。
【０００４】
２個入りの白熱電球の包装箱としては、口金の上下方向が互いに異なる向きとなるように管球製品をそれぞれ収容する構成の包装箱が知られている（例えば、特許文献１参照。）
【０００５】
この従来の包装箱によれば、一方の白熱電球の径大な頂部側には他方の径小な口金が配設されて収容される関係になることから、両者間に余分なスペースが発生することなく包装箱内に収容することができ、包装箱全体の寸法を小さくすることが可能である。
【０００６】
しかし、この従来技術のように口金の向きを互いに反対方向になるように２個の白熱電球を包装箱に収容する作業は、先に収容した白熱電球の収容位置や傾き加減を調整する必要があり、また２個の白熱電球の間に設ける緩衝材の形状が複雑になるため包装作業が煩雑になるという不具合があった。
【０００７】
このため、近年、２個入り管球製品の包装箱は、口金を同一方向にして収容するものが主流である。この場合にも、２個の管球製品の間には緩衝材が設けられるが、この緩衝材は収容空間の中間部に仕切板を配設したシンプルな構造とされている。
【０００８】
ところで、管球製品が振動により破損することを防止するために管球製品を収容空間に固定する必要がある。そこで、包装箱の一対の内フラップの先端にそれぞれの口金が嵌合する形状の切欠きをそれぞれ形成し、口金を仕切板の上部側（収容空間の開口側中央部）に互いに傾けた状態で内フラップに嵌合させて２個の管球製品それぞれを固定した包装箱も実際の製品として使用されている。
【特許文献１】実用新案登録第３０３２２８８号公報
【発明の開示】
【発明が解決しようとする課題】
【０００９】
管球製品を２個収容可能な上述の包装箱によれば、内フラップにより２個の管球製品それぞれを固定することが可能であるが、この場合にでも箱詰め作業が煩雑であり、さらなる改善が望まれていた。
【００１０】
なぜなら、２個の管球製品の口金をそれぞれ仕切板の上部側（収容空間の開口側中央部）に傾けると口金同士が当接して振動を伝え合うおそれがあるため、互いに当接しないように前後方向にずらして口金を配置しなければならず、このため内フラップの切欠きも口金の位置がずれるような形状に形成されている。このように口金の位置が決められているので、箱詰め作業時の口金の位置あわせが面倒であるとともに、口金の傾き位置が若干ずれると内フラップへの嵌合作業が困難になるので箱詰め作業が円滑に行われず、作業性が低下するという不具合があった。
【００１１】
本発明は、上記課題に鑑みなされたものであり、箱詰め作業を円滑に行うことが可能な管球製品を２個収容可能な包装箱および物品包装体を提供することを目的とする。
【課題を解決するための手段】
【００１２】
請求項１の包装箱は、少なくとも一端に開口を有し、内部に収容部が形成されるように包装材を矩形状に折り曲げ、かつ接合して形成された本体部と；本体部の開口の一方の辺縁部から一体的に突出し、開口を閉塞するように折り曲げられた蓋部と；本体部の開口の一方の辺縁部に隣接する両側方の辺縁部から一体的にそれぞれ突出し、本体部の開口を閉塞するように折り曲げることで本体部の開口よりもやや内側の中間部で互いに近接する基端部およびこの基端部同士が近接する部分でさらに本体部の収容部側に向かって折り曲げられて互いに平行な状態で収容部の下方側に向かって延在する先端片部を有する一対のフラップと；一対のフラップの基端部にそれぞれ形成された切込みによって先端片部を折り曲げたときに先端片部から延在するように基端部から本体部の開口方向に向かってそれぞれ切起こされ、本体部の開口を閉塞したときの蓋部に先端が当接または近接する一対の突起と；を具備していることを特徴とする。
【００１３】
本発明および以下の各発明において、特に指定しない限り用語の定義および技術的意味は次による。
【００１４】
本体部は、少なくとも周方向の四つの平面部によって構成されていて、横断面が矩形状をなし、その内部に管球製品等の被包装物品を収納する矩形状の収容部が形成されている。本体部は被包装物品の形状に合わせた適当な縦横比および長さを設定することが許容される。そして、本体部は少なくとも一端に開口を有している。
【００１５】
包装材は、包装箱を形成するのに適当な材料を意味し、たとえば厚紙、段ボール紙、プラスチックスシート材などが許容されるが、被包装物品の破損を防止するためには緩衝作用を有する段ボール紙を使用するのが好ましい。
【００１６】
被包装物品および包装箱は、特別な物品および特別な包装箱に限定されない。しかし、白熱電球や電球形蛍光ランプのように一方が径大で他方が径小な形状を有する被包装物品の場合には、収容部内における固定が必要となるため、本発明の作用効果が著しく発揮される。
【００１７】
本体部は、包装材を切り抜き、折り曲げ、かつ、所要部分を接着剤や固着具などにより接合して形成されている。
【００１８】
本体部の収容部は、開口を介して収容物品を収容可能に形成され、少なくとも四つの平面部によって囲まれた空間内に形成されるものである。
【００１９】
蓋部は、本体部の一端において、一方の辺縁部から一体に突出して形成されている。蓋部は、本体部の周方向の平面部に直交する平面を有しており、開口を閉塞するように開閉可能に構成されている。蓋部は、一方の辺縁部を折り曲げ線として折り込むことによって開閉可能に構成されており、開口を閉塞する。
【００２０】
一対のフラップは、蓋部が突出する一方の辺縁部に隣接する開口の両側方の辺縁部から一体的にそれぞれ突出され、本体部の開口の全部または一部を閉塞するように折り曲げられたものである。この一対のフラップは、両側方の辺縁部と連続する基端部と、この基端部から長手方向に延在する先端片部を有している。
【００２１】
次に、本発明の作用について説明する。まず、２個の被包装物品を収容空間に収容して一対のフラップを開口が閉塞されるようにそれぞれ折り曲げられる。すると、基端部は開口よりもやや内側の中間部で互いに近接する。このときの基端部は、互いに接触するほど近接する必要は無く、若干の距離を残して離間していてもよい。
【００２２】
先端片部は、基端部同士が近接する部分から収容部側に向かって折り曲げられ、互いに平行な状態となるように延在する。
【００２３】
一対の突起は、一対のフラップの基端部にそれぞれ形成された切込みによって切起こされるものであり、先端片部を折り曲げたときに基端部から本体部の開口方向に向かって突出するように先端片部から一体的に延在するものである。
【００２４】
そして蓋部を折り曲げによって開口を閉塞する。このとき、一対の突起は、蓋部が本体部の開口を閉塞したときにその先端が蓋部の内面に当接するかまたは当接しない場合であってもフラップが開口側に移動しないように蓋部の内面に近接するように突出して形成されている。
【００２５】
このように、フラップの基端部は開口よりも突起の高さ分だけ収容部側に入り込むので、開口に対して傾斜した状態で固定される。この基端部の傾斜により、開口の両側方の辺縁部の内側に狭小な収容空間が形成される。白熱電球や電球形蛍光ランプの口金部のように径小な部分をこの狭小な収容空間に配置することにより、簡単に被包装物品を収容部内に固定することが可能となる。
【００２６】
また、フラップには、突起が一体的に形成されており、この突起が蓋部の内面に当接または近接しているので、基端部が開口に対して平行となる方向に動くことが防止され、基端部の傾斜が保持されるので、被包装物品の径小な部分を辺縁部内側の狭小な収容空間に確実に固定することが可能となる。
【００２７】
請求項２は、請求項１記載の包装箱において、本体部の開口の他方の辺縁部から一体的に突出し、本体部の内面側に当接するように折り込まれるとともに、収容部の中間位置に配設される仕切片が切り起こされる仕切体を有し、この仕切体の仕切片が一対のフラップの先端片部によって挟持されることを特徴とする。
【００２８】
仕切体は、本体部の開口の他方の辺縁部から一体的に突出され、本体部の内面側に当接するように折り込まれ、かつ収容部の中間に配置される仕切片が切り起こされるものである。この仕切片は、２個の被包装物品を収容したときの両者の中間部分に配置されるものであり、緩衝作用を有するものである。
【００２９】
仕切片は、一対のフラップの先端片部によって挟持されるものであるが、先端片部の挟持によって固定されるものでなくてもよく、別途本体部に糊付けまたは係合等の手段によって固定されていてもよい。
【００３０】
また、仕切片は、２枚の先端片部と重ね合わされた部分を利用して２個の被包装物品間の緩衝部材を構成してもよい。
【００３１】
さらに、仕切片は、一対のフラップを折り込む際に、先端片部の対向面が当接しながら移動するので、一対のフラップを閉じる際のガイドとして利用することができる。
【００３２】
請求項３の物品包装体は、請求項１または２記載の包装箱と；包装箱内に収容された物品と；を具備していることを特徴とする。
【００３３】
本発明において、「物品包装体」とは、包装箱とその内部に収容された物品との組み合わせをいう。したがって、本発明においては、請求項１または２の作用、効果を奏する物品包装体が得られる。
【発明の効果】
【００３４】
請求項１の発明によれば、開口の両側方の辺縁部の内側に形成された狭小な収容空間に白熱電球や電球形蛍光ランプの口金部のように径小な部分を配置することにより、簡単に被包装物品を収容部内に固定することが可能となり、また一対の突起が蓋部の内面に当接するかまたは当接しない場合であってもフラップが開口側に移動しないように蓋部の内面に近接するように突出して形成されるので、基端部が開口に対して平行となる方向に動くことが防止され、被包装物品を収容空間に確実に固定することが可能となる。
【００３５】
請求項２の発明によれば、２個の被包装物品を収容したときの両者の中間部分に配置される仕切片を緩衝材として使用することが可能である。
【００３６】
請求項３の発明によれば、請求項１または２の効果を奏する物品包装体を得ることができる。
【発明を実施するための最良の形態】
【００３７】
以下、図面を参照して本発明の実施の形態を説明する。
【００３８】
図１ないし４は、本発明の包装箱の一実施形態を示し、図１は包装箱の斜視図、図２は図１の包装箱の内部構造を示す斜視図、図３は図１の包装箱の展開図、図４は図１の包装箱の縦断面図である。各図において、１０は包装箱であり、１ａ，１ｃは本体部の主面、１ｂ，１ｄは本体部の側面、２，２は一対のフラップ、３は蓋部、４は仕切板、５は底板である。
【００３９】
なお、本実施形態の包装箱は、２個の電球形蛍光ランプ２０，２０を箱詰めすることが可能なものである。
【００４０】
包装箱を組み立てる包装材は、一枚のダンボールまたは厚紙を型抜きして、かつ各部の境界線に折り曲げ溝（図中「破線」で示す。）が形成された一枚の包装材から形成されている。包装箱はこの包装材を折り込むことで組み立てられている。
【００４１】
この包装箱を展開した状態では、主面１ａ，１ｃおよび側面１ｂ，１ｄは、折り込むことによって上方に開口１１を内部に収容部１２をそれぞれ形成する矩形の筒状の本体部１０を構成する。すなわち、主面１ａおよび１ｃが本体部１０の正面側および背面側に、側面１ｂおよび１ｄが本体部１０の両側面側にそれぞれ位置するように互い平行な向きで対向している。
【００４２】
一方の主面１ｂの上方の辺縁部（一方の辺縁部）には、蓋部３が突出して形成されている。蓋部３には、差し込みフラップ３ａが一体的に設けられている。
【００４３】
一方の主面１ｂの蓋部３の反対側の端部には、底面部を構成する底板５が差し込みフラップ５ａとともに形成されている。側面部１ｂ，１ｄのそれぞれの上端部には一対のフラップ２，２が形成されている。他方の主面１ａの側面部１ｂとは反対側の端部には、糊しろ６が形成され、この糊しろ６により主面１ｂと側面部１ｄとが接合され、本体部１０が組み立てられる。
【００４４】
側面部１ｂ，１ｄのそれぞれの下端部には一対の底フラップ７，７が形成されている。  他方の主面１ａの下端縁には、係止片８が一体的に設けられている。この係止片８は、底板５と差し込みフラップ５ａとの境界中央部分に形成された係止溝９への差し込みを容易にするために、係止片８の基端部（主面１ａの下端の辺縁部）から主面１ａの一部に連続して一対の切り溝８ａ，８ａが形成されており、係止片８を揺動可能にしている。
【００４５】
他方の主面１ａの上端の辺縁部（他方の辺縁部）には、仕切体４が一体的に突出して形成されている。この仕切体４は、本体部１０の開口１１から主面１ａの内面側に当接するようにほぼ１８０°折り込まれるとともに、収容部１２の中間位置に配設される仕切片４ａがほぼ９０°折り曲げて切り起こすことによって形成されている。なお、仕切片４ａの先端部には、主面１ｂの内面側に接着される糊しろ４ｂが形成されている。なお、４ｃは閉塞状態の蓋部３を開放するときに指を蓋部３に引っ掛けやすくするための切欠きを形成する円形孔である。
【００４６】
一対のフラップ２，２は、側面１ｂ，１ｄの上端の辺縁部（両側方の辺縁部）と連続する基端部２ａ，２ａと、この基端部２ａ，２ａから長手方向に延在する先端片部２ｂ，２ｂを有している。一対の突起２ｃ，２ｃは、一対のフラップ２，２の基端部２ａ，２ａにそれぞれ形成された切込み２ｄ，２ｄによって切起こされるものである。突起２ｃは、先端片部２ｂを折り曲げたときに基端部２ａから本体部１０の開口１１方向に向かって突出するように先端片部２ｂから一体的に延在している。
【００４７】
次に、本実施形態の作用について説明する。まず、２個の電球形蛍光ランプ２０，２０を収容した後、開口１１が閉塞されるように一対のフラップ２，２がそれぞれ折り曲げられる。なお、電球形蛍光ランプ２０，２０は、外径が頂部のグローブ部分よりも小さい口金部分を上向きにし、かつ口金部分が側面部１ｂ，１ｄ側に位置するように傾けた状態で収容部１２に収容される。
【００４８】
一対のフラップ２，２を収容部１２側にそれぞれ折り曲げると、基端部２ａ，２ａは開口１１よりもやや内側の中間部で仕切片４ａを介して互いに近接する。すると、一対の突起２ｃ，２ｃは、その先端が蓋部３を閉塞したときの蓋部３の内面に当接するかまたは当接しない場合であっても一対のフラップ２，２が開口１１側に移動しないように蓋部３の内面に近接するように突出する。
【００４９】
また、先端片部２ｂ，２ｂは、基端部２ａ，２ａ同士が近接する部分から収容部１２側に向かって折り曲げられ、互いに平行な状態となるように延在し、一対の先端片部２ｂ，２ｂが仕切片４ａを挟持するように配設される。
【００５０】
そして蓋部３を折り曲げることによって開口１１が閉塞され、２個詰めの電球形蛍光ランプ用物品包装体が完成する。
【００５１】
本実施形態によれば、フラップ２の基端部２ａは開口１１よりも突起２ｃの高さ分だけ収容部１２側に入り込むので、開口１１に対して傾斜した状態で固定される。この基端部２ａの傾斜により、開口１１の両側面１ｂ，１ｄの上端側の辺縁部の内側に狭小な収容空間１２ａが形成される。電球形蛍光ランプ２０の口金部のように径小な部分をこの狭小な収容空間１２ａに配置することにより、簡単に電球形蛍光ランプ２０を収容部１２内に固定することが可能となる。
【００５２】
また、フラップ２には、突起２ｃが一体的に形成されており、この突起２ｃが蓋部３の内面に近接しているので、基端部２ａが開口１１に対して平行となる方向に動くことが防止され、基端部２ａの傾斜が保持されるので、電球形蛍光ランプ２０の径小な口金部分を収容空間１２ａに確実に固定することが可能となる。
【００５３】
さらに、仕切片４ａは、２枚の先端片部２ｂ，２ｂを利用して２個の電球形蛍光ランプ２０，２０の間に３枚重ね合わされた緩衝部材を構成している。
【００５４】
さらにまた、仕切片４ａは、一対のフラップ２，２を折り込む際に、先端片部２ｂ，２ｂの対向面が当接しながら移動するので、一対のフラップ２，２を閉じる際のガイドとして機能している。
【図面の簡単な説明】
【００５５】
【図１】本発明の包装箱の第１の実施形態を示す斜視図。
【図２】図１の包装箱の内部構造を示す斜視図。
【図３】図１の包装箱の展開図。
【図４】図１の包装箱の縦断面図。
【符号の説明】
【００５６】
２…フラップ、２ａ…基端部、２ｂ…先端片部、２ｃ…突起、３…蓋部、４…仕切体、４ａ…仕切片、１０…本体部、１１…開口、１２…収容部、２０…被包装物品としての電球形蛍光ランプ。
【図１】
2005289408.tif 000003
【図２】
2005289408.tif 000004
【図３】
2005289408.tif 000005
【図４】
2005289408.tif 000006